(57)【要約】【課題】  トップカバーの着脱装置を容易に行うことができるにもかかわらず、トップカバーの装着時には、左右２箇所のアース金具によってトップカバーが確実にシャーシにアース接続されるようにして優れたシールド性能を得る。【解決手段】  シャーシ１とトップケース３とアース金具５とを備える。シャーシ１の第１側板部１２とトップケース３の第２側板部との間の対向空間を左右に形成し、それらの対向空間内にアース金具５を対称に配備する。アース金具５が、重なり片部５１と取付部と山形の弾性片部５５とを備える。取付部はフック片５２と上向き爪片５３とを備えている。山形の弾性片部５５が、第１側板部１２の開口１７を経てその内側へ延び出ている。【選択図】        図２
2005150499.tif 000002
【特許請求の範囲】
【請求項１】
板金製シャーシと、このシャーシに対して上方から下降させる操作で被せられかつ上方への持上げ操作で取り外される板金製トップケースと、シャーシ側の第１側板部とこの第１側板部の外側に配備されたトップケース側の第２側板部とに接触してトップケースをシャーシにアース接続するアース金具とを備える箱形機器のシールド装置において、
第１側板部と第２側板部とにより形成された対向空間が当該シールド装置の左右にそれぞれ備わり、それら左右の対向空間内に対称に配備された上記アース金具が、上記第１側板部に接触して重ね合わされた重なり片部と、この重なり片部を上記第１側板部に固定している取付部と、上下方向一端が上記重なり片部に連設されかつ上下方向他端が自由端となされて頂部が上記第２側板部の内面に弾接した山形の弾性片部とを備え、
上記取付部が、上記第１側板部に形成された係止部に上方から嵌合されてその係止部に係止されているフック片と、上記第１側板部に形成された係止孔の上側孔縁に係止されかつ上記フック片と共働して上記重なり片部を上下方向で挟む上向き爪片とを備えていて、それらのフック片と上向き爪片とが上記重なり片部に連設されていると共に、山形の上記弾性片部が、上記頂部の片側の一端側片部と上記頂部の他側の自由端側片部とを備え、自由端側片部が上記第１側板部に開設された開口を経てその第１側板部の内側へ延び出し、上記第２側板部の下端に、上記第１側板部に突き当てられた内向き突片が曲成されていることを特徴とする箱形機器のシールド装置。
【請求項２】
板金製シャーシと、このシャーシに対して上方から下降させる操作で被せられかつ上方への持上げ操作で取り外される板金製トップケースと、シャーシ側の第１側板部とこの第１側板部の外側に配備されたトップケース側の第２側板部とに接触してトップケースをシャーシにアース接続するアース金具とを備える箱形機器のシールド装置において、
第１側板部と第２側板部とにより形成された対向空間が当該シールド装置の左右にそれぞれ備わり、それら左右の対向空間内に配備された上記アース金具が、上記第１側板部に接触して重ね合わされた重なり片部と、この重なり片部を上記第１側板部に固定している取付部と、上下方向一端が上記重なり片部に連設されかつ上下方向他端が自由端となされて頂部が上記第２側板部の内面に弾接した山形の弾性片部とを備えていることを特徴とする箱形機器のシールド装置。
【請求項３】
上記アース金具が、左右の上記対向空間内に対称に配備されている請求項２に記載した箱形機器のシールド装置。
【請求項４】
上記アース金具の山形の弾性片部が、上記頂部の片側の一端側片部と上記頂部の他側の自由端側片部とを備え、自由端側片部が上記第１側板部に開設された開口を経てその第１側板部の内側へ延び出ている請求項２又は請求項３に記載した箱形機器のシールド装置。
【請求項５】
上記取付部が、上記第１側板部に形成された係止部に上方から嵌合されてその係止部に係止されているフック片と、上記第１側板部に形成された係止孔の上側孔縁に係止されて上記フック片と共働して上記重なり片部を上下方向で挟む上向き爪片とを備えていて、それらのフック片と上向き爪片とが上記重なり片部に連設されている請求項２ないし請求項４のいずれか１項に記載した箱形機器のシールド装置。
【発明の詳細な説明】
【技術分野】
【０００１】
本発明は、ＤＶＤを含む電気電子機器のような箱形機器のシールド装置に関する。
【背景技術】
【０００２】
ハードディスクドライブ（ＨＤＤ）を搭載しているＤＶＤのような箱形機器では、ノイズなどの混入を防ぐといった電波対策のために、板金製シャーシに搭載された駆動部などを板金製のトップケースで覆い、そのトップケースの静電気を上記シャーシを介して逃がすといった対策が講じられる。その対策のために、従来より、トップケースをアース金具を用いてシャーシにアース接続するという構成を採用したものがあった。
【０００３】
たとえば、磁気記録再生装置において、デッキとトップカバーとを、それらにビス止めした帯板状のシールド板によって接続するというもの（たとえば、特許文献１参照）、電子機器の筐体構造において、プリント基板のアースパターンに鋸歯状の弾性舌片を接続し、絶縁被膜でコーティングした天板を装着するときに、上記弾性舌片によって天板の絶縁被膜を掻き破ってその弾性舌片を天板に接触させるもの（たとえば、特許文献２参照）、静電破壊防止装置として、本体シャーシを挟む両側に配備される金属製の底板とカバートップとを本体シャーシに取り付けたアース金具によって接続するもの（たとえば、特許文献３参照）などがあり、特に、特許文献３に記載されている対策では、カバートップを本体シャーシに対して上方から下降させる操作で本体シャーシに被せることによって、水平方向に延び出たアース金具をカバートップに接触させるようにしていた。
【特許文献１】実用新案登録第３０８０９１４号公報
【特許文献２】特開平５−３４３８８０号公報
【特許文献３】特開２０００−２２３８５３号公報
【発明の開示】
【発明が解決しようとする課題】
【０００４】
しかしながら、特許文献１に記載されている技術では、アース金具をビス止めするのに手間がかかって組立工程が煩雑になるという問題があった。また、特許文献２に記載されている技術では、天板の装着時に鋸歯状の弾性舌片がプリント基板のアースパターンから剥離したり弾性舌片を接続したアースパターンがプリント基板から剥離したりするおそれがあり、特許文献３に記載されている技術では、水平方向に延び出たアース金具が、下降操作を通じて本体シャーシに被せられるカバートップと干渉し座屈変形を起こしてアース金具としての機能を果たさなくなるおそれがあり、そのために、組立作業に熟練と細心の注意が必要になって、やはり組立工程が煩雑になるという問題があった。
【０００５】
本発明は以上の問題や状況の下でなされたものであり、板金製シャーシと、このシャーシに対して上方から下降させる操作で被せられかつ上方への持上げ操作で取り外される板金製トップケースと、シャーシ側の第１側板部とこの第１側板部の外側に配備されたトップケース側の第２側板部とに接触してトップケースをシャーシにアース接続するアース金具とを備える箱形機器のシールド装置において、トップカバーの着脱操作を容易に行うことが可能にしてその組立工程を簡略化し、併せて、アース金具によってトップカバーが確実にシャーシに接続されてその接続信頼性を高めることのできる箱形機器のシールド装置を提供することを目的とする。
【０００６】
また、本発明は、アース金具をビス止めすることなく容易にシャーシに取り付けることが可能な箱形機器のシールド装置を提供することを目的とする。
【課題を解決するための手段】
【０００７】
本発明に係る箱形機器のシールド装置は、板金製シャーシと、このシャーシに対して上方から下降させる操作で被せられかつ上方への持上げ操作で取り外される板金製トップケースと、シャーシ側の第１側板部とこの第１側板部の外側に配備されたトップケース側の第２側板部とに接触してトップケースをシャーシにアース接続するアース金具とを備える電気電子機器のシールド装置において、第１側板部と第２側板部とにより形成された対向空間が当該シールド装置の左右にそれぞれ備わり、それら左右の対向空間内に配備された上記アース金具が、上記第１側板部に接触して重ね合わされた重なり片部と、この重なり片部を上記第１側板部に固定している取付部と、上下方向一端が上記重なり片部に連設されかつ上下方向他端が自由端となされて頂部が上記第２側板部の内面に弾接した山形の弾性片部とを備えている、というものである。
【０００８】
この発明によれば、シャーシ側の第１側板部とトップケース側の第２側板とにより形成された対向空間が当該シールド装置の左右にそれぞれ備わっていて、それらの対向空間のそれぞれに配備されたアース金具によりトップケースがシャーシにアース接続されている。そのため、トップケースが左右２箇所のアース金具を介してシャーシにアース接続されるようになって接続信頼性が高められる。また、アース金具が山形の弾性片部を備え、その弾性片部の頂部がトップケース側の第２側板部の内面に弾接しているという構成を採用していることにより、トップケースを下降させてシャーシに被せるという装着作業や、トップケースを持上げ操作してシャーシから取り外すという取外し作業に際して、山形の弾性片部がトップケースの第２側板部により押されて無理なく弾性変形する。そのために、トップケースを着脱する際に、アース金具が座屈変形を起こしたりするおそれがなくなって、それだけ組立作業を容易に行うことができるようになり、併せて、組立工程も簡略化される。なお、シャーシ側の第１側板部に一体にアース金具としての山形片を折曲げ形成したものでは、トップケースの着脱時にその山形片が座屈変形などを起こしやすいことが判っている。この点で、アース金具をシャーシと別体とした利点がある。
【０００９】
本発明では、上記アース金具が、左右の上記対向空間内に対称に配備されていることが望ましい。これによれば、左右の対向空間内に個別に配備するアース金具の形状を同一にすることができるためにそれだけアース金具の製作コストが安くつく。また、トップケースの装着作業や取外し作業に際し、アース金具によってトップケースの左右に加えられる荷重が左右でバランスして組立作業を容易に行うことができるようになる。
【００１０】
本発明では、上記アース金具の山形の弾性片部が、上記頂部の片側の一端側片部と上記頂部の他側の自由端側片部とを備え、自由端側片部が上記第１側板部に開設された開口を経てその第１側板部の内側へ延び出ていることが望ましい。これによれば、トップケースの装着作業や取外し作業に際し、トップケースの第２側板部によって押圧変形される山形の弾性片部の撓み代の全体を、上記した第１側板部と第２側板部との対向空間の幅によって確保する必要がなくなるため、その対向空間の幅を狭くして当該シールド装置のコンパクト化を図ることが容易に可能になる。
【００１１】
本発明では、上記取付部が、上記第１側板部に形成された係止部に上方から嵌合されてその係止部に係止されているフック片と、上記第１側板部に形成された係止孔の上側孔縁に係止されて上記フック片と共働して上記重なり片部を上下方向で挟む上向き爪片とを備えていて、それらのフック片と上向き爪片とが上記重なり片部に連設されているという構成を採用することが可能であり、これによれば、アース金具をシャーシ側の第１側板部にワンタッチ式に確実に取り付けることが可能になり、しかも、ビス止めなどの煩わしい作業を行う必要がなくなって、当該シールド装置の組立工程を簡略化することに役立つ。
【００１２】
本発明に係る箱形機器のシールド装置は次の構成を採用することによっていっそう具体化される。すなわち、板金製シャーシと、このシャーシに対して上方から下降させる操作で被せられかつ上方への持上げ操作で取り外される板金製トップケースと、シャーシ側の第１側板部とこの第１側板部の外側に配備されたトップケース側の第２側板部とに接触してトップケースをシャーシにアース接続するアース金具とを備える電気電子機器のシールド装置において、第１側板部と第２側板部とにより形成された対向空間が当該シールド装置の左右にそれぞれ備わり、それら左右の対向空間内に対称に配備された上記アース金具が、上記第１側板部に接触して重ね合わされた重なり片部と、この重なり片部を上記第１側板部に固定している取付部と、上下方向一端が上記重なり片部に連設されかつ上下方向他端が自由端となされて頂部が上記第２側板部の内面に弾接した山形の弾性片部とを備え、上記取付部が、上記第１側板部に形成された係止部に上方から嵌合されてその係止部に係止されているフック片と、上記第１側板部に形成された係止孔の上側孔縁に係止されかつ上記フック片と共働して上記重なり片部を上下方向で挟む上向き爪片とを備えていて、それらのフック片と上向き爪片とが上記重なり片部に連設されていると共に、山形の上記弾性片部が、上記頂部の片側の一端側片部と上記頂部の他側の自由端側片部とを備え、自由端側片部が上記第１側板部に開設された開口を経てその第１側板部の内側へ延び出し、上記第２側板部の下端に、上記第１側板部に突き当てられた内向き突片が曲成されている、という構成を採用することによっていっそう具体化される。この発明の作用などについては後述する実施形態を参照して詳細に説明する。
【発明の効果】
【００１３】
以上のように、本発明に係る箱形機器のシールド装置によれば、トップカバーの着脱装置を容易に行うことができるにもかかわらず、トップカバーの装着時には、左右２箇所のアース金具によってトップカバーが確実にシャーシにアース接続される。そのために、当該シールド装置の組立作業が容易になることと併せて、接続信頼性が高まって優れたシールド性能が得られるようになる。このことから、たとえばＨＤＤを搭載したＤＶＤなどの箱形機器にあっては、ノイズによる画像乱れなどが発生しにくくなり、しかも、そのような箱形機器を安価に提供することが可能になる。
【００１４】
また、本発明によれば、アース金具をビス止めすることなく容易にシャーシに取り付けることが可能になるので、取付ビスなどの余分な部品を用いずに管端な組立工程を経てシールド装置を組み立てることが可能になる。
【発明を実施するための最良の形態】
【００１５】
図１は本発明に係る箱形機器のシールド装置の概略分解斜視図、図２は図１の要部を拡大した斜視図、図３（Ａ）（Ｂ）（Ｃ）はシャーシ１とアース金具５との異なる取付箇所を示した垂直断面図、図４はアース金具５の作用を説明するための垂直断面図である。
【００１６】
図１に示したシールド装置は、板金製のシャーシ１と、板金製のトップケース３と、板金製のアース金具５とを備えている。そして、トップケース３をシャーシ１に被せるときには、トップケース３をシャーシ１に対して上方から下降させる操作を行い、トップケース３をシャーシ１から取り外すときには、トップケース３を上方へ持ち上げる操作を行うようになっている。そして、シャーシ１にトップケース３を取り付けた状態では、アース金具５が、シャーシ１側の第１側板部１２とこの第１側板部１２の外側に配備されたトップケース３側の第２側板部３２とに接触してトップケース３をシャーシ１にアース接続するようになっている。
【００１７】
すなわち、第１側板部１２がシャーシ１の左右にそれぞれ立ち上げられているのに対し、第２側板部３２がトップケース３の左右にそれぞれ垂設されていて、シャーシ１にトップケース３を被せた状態では、右側の第１側板部１２の外側に右側の第２側板部３２が配備されて双方の側板部１２，３２の相互間に図４（Ａ）に示した対向空間Ｓが形成され、その対向空間Ｓに配備されたアース金具５によってトップケース３がシャーシ１にアース接続されるようになっている。これと同様に、シャーシ１にトップケース３を被せた状態では、左側の第１側板部１２の外側に左側の第２側板部３２が配備されて双方の側板部１２，３２の相互間に対向空間（不図示）が形成され、その対向空間に配備されたアース金具によってトップケース３がシャーシ１にアース接続されるようになっている。そして、左右の対向空間に配備されるアース金具５は同一形状に形成されていて、それらの対向空間に各別のアース金具５が互いに対称に配備されている。
【００１８】
なお、シャーシ１にはＨＤＤを搭載したＤＶＤを取り付けるための取付領域Ｚが区画形成されていて、この取付領域Ｚに取り付けられたＤＶＤが上記トップケース３によって覆われるようになっている。
【００１９】
図２のように、アース金具５は、横長矩形状の重なり片部５１を備えていて、この重なり片部５１の上端縁の前後２箇所と高さ方向中間部の前後２箇所とにフック片５２が折曲げ又は切起しによって形成されていると共に、前後方向中間部で高さ方向中間部の１箇所に上向き爪片５３が切起し形成され、さらに、山形の弾性片部５５が連設されている。これらのうち、４箇所のフック片と１箇所の上向き爪片５３とによって、アース金具５をシャーシ１の第１側板部１２に固定するための取付部が形成されている。また、弾性片部５５は、その一端（上端）が重なり片部５１の上端に連設されていて、その他端（下端）が自由端となっていて、頂部５６を境にして、その頂部５６の片側（上側）の一端側片部５７とその頂部５６の他側（下側）の自由端側片部５８とに区画されている。そして、一端側片部５７が板片状に形成されているのに対し、自由端側片部５８は細幅の前後一対の脚片として形成されている。さらに、前後一対の脚片として形成されている自由端側片部５８に係止部５９が曲成されていると共に、重なり片部５１における自由端側片部５８の対向箇所には凹部６１が形成されていて、自由端側片部５８がその凹部６１の内側へ突き出ることによって弾性片部５５の撓みを吸収することができるようになっている。
【００２０】
このアース金具５は、取付部を形成している複数のフック片５２と１つの上向き爪片５３とを共働させてシャーシ１の第１側板部１２を上下方向で挟ませることによってその第１側板部１２に固定される。すなわち、図２又は図３で判るように、上側２つのフック片５２，５２を第１側板部１２の上端縁の２箇所に形成した凹窪状の係止部１３，１３に嵌め込んでその第２側板部１２に嵌合させ、かつ、下側２つのフック片５２，５２を第１側板部１２に形成した前後２箇所の開口の下側口縁によって形成された係止部１４，１４に嵌め込んで第２側板部１２に嵌合させると共に、上向き爪片５３を第１側板部１２に形成した係止孔１５に嵌めてその上側孔縁１６に突き当てて係止させると、シャーシ１の第１側板部１２が、複数のフック片５２と１つの上向き爪片５３との共働によって上下方向で挟まれる。こうしてアース金具５が第１側板部１２に固定されていると、アース金具５の重なり片部５１が第１側板部１２に接触し、併せて、フック片５２や上向き爪片５３も第１側板部１２に接触するので、アース金具５が第１側板部１２に確実に電気接続された状態になる。また、アース金具５が第１側板部１２に固定された状態では、図３（Ｃ）のように、弾性片部５５の自由端側片部５５を第１側板部１２に開設されている開口１７を通して第１側板部１２の内側へ突き出させ、その弾性片部５５の復帰力によって係止部５９を第１側板部１２の裏面に係合させてある。
【００２１】
また、シャーシ１にトップケース３を被せた状態では、図４（Ａ）のように、アース金具５の弾性片部５５の頂部５６がトップケース３の第２側板部３２の内面に弾接している。また、第２側板部３２の下端に曲成されている内向き突片３３が、第１側板部１２に突き当たっている。
【００２２】
図４（Ａ）で説明した形態で、トップケース３がアース金具５を介してシャーシ１に接続されていると、トップケース３はアース金具５によってシャーシ１に接続されているだけでなく、直接的にもシャーシ１に接続されているので、トップケース３が確実にシャーシ１にアース接続される。
【００２３】
また、トップケース３をシャーシ１に被せるときに、図４（Ｂ）の矢印Ｄのようにトップケース３を上方から下降させる操作を行うと、トップケース３の内向き突片３３が弾性片部５５の一端側片部５７を内方へ押圧しながら下方へスライドして図示のように頂部５６に乗り上り、さらに内向き突片３３が頂部５６を乗り越えた後、弾性片部５５の外向き復帰変位を規制しながら自由端側片部５８を下方へスライドし、その自由端側片部５８から離れて第１側板部１２に突き当たる。これに対し、トップケース３をシャーシ１から取り外すときに、図４（Ｂ）の矢印Ｕのようにトップケース３を持ち上げる操作を行うと、内向き突片３３が弾性片部５５の自由端側片部５８を内方へ押圧しながら上方へスライドして図示のように頂部５６に乗り上り、さらに内向き突片３３が頂部５６を乗り越えた後、弾性片部５５の外向き復帰変位を規制しながら一端側片部５８を上方へスライドし、その一端側片部５７から離れて取り外される。したがって、トップケース３をシャーシ１に被せたりシャーシ１から取り外したりするときには、アース金具５がこじられたり、アース金具５の弾性片部５５が座屈変形したりするおそれがない。
【００２４】
また、トップケース３をシャーシ１に被せたりシャーシ１から取り外したりするときには、トップケース３の内向き突片３３によって内方へ押圧された弾性片部５５の自由端側片部５８が、シャーシ１の第１側板部１２の内側へ変位するようになっているので、弾性片部５８を撓み代の全体を第１側板部１２と第２側板部３２との対向空間Ｓの幅によって確保する必要がない。そのため、対向空間Ｓの幅を短くすることによりシールド装置全体の横幅を短くしてそのコンパクト化を図りやすくなる。
【図面の簡単な説明】
【００２５】
【図１】本発明に係る箱形機器のシールド装置の概略分解斜視図である。
【図２】図１の要部を拡大した斜視図である。
【図３】（Ａ）は第１側板部に取り付けられたアース金具の取付箇所の前後方向中央部分の垂直断面図、（Ｂ）は係止部に対するフック片の係止箇所の垂直断面図、（Ｃ）は弾性接片の自由端側片部が第１側板部の内側へ延び出ている箇所の垂直断面図である。
【図４】（Ａ）はシャーシにトップケースを接続しているアース金具を示した垂直断面図、（Ｂ）はトップケース着脱操作時のアース金具の動作を示した垂直断面図である。
【符号の説明】
【００２６】
１  シャーシ
３  トップケース
５  アース金具
１２  第１側板部
１５  係止孔
１６  係止孔の上側孔縁
１７  開口
３２  第２側板部
３３  内向き突片
５１  重なり片部
５２  フック片（取付部）
５３  上向き爪片
５５  弾性片部
５６  頂部
５７  一端側片部
５８  自由端側片部
Ｓ  対向空間
【図１】
2005150499.tif 000003
【図２】
2005150499.tif 000004
【図３】
2005150499.tif 000005
【図４】
2005150499.tif 000006